(57)【要約】      （修正有）【課題】従来のロックリングは凹部を有する非常に平坦な金属リングが用いられており、操作する指が負傷する等、取り扱いが困難であった。【解決手段】ロックリング６が、係合位置において固定歯５に係合している。係合位置にあるロックリング６により、連結状態においてねじ式連結が解除されないように防護されている。連結状態において、ロックリング６が付勢ばね７の付勢に抗して固定歯５から浮き上がっている連結解除位置にあるロックリング６により、ねじ式連結が解除のために回転可能である。ロックリング６が、第２ハウジング部品４の縦方向９に細延在する把持面１１と、把持面１１から固定歯５に向かう方向１３に突出する歯を有する相手歯１２と、を備えている。【選択図】図１
2019197725.tif 000002
【特許請求の範囲】
【請求項１】
光的および電気的のうち一方または両方のプラグイン接続用のコネクタ部品（１）であって、
前記プラグインコネクタ部品（１）がハウジング（２）を有し、
前記ハウジング（２）が第１ハウジング部品（３）と少なくとも１つの第２ハウジング部品（４）とを有し、
前記第１ハウジング部品（３）および前記第２ハウジング部品（４）は、解除可能なねじ式連結によって連結状態で互いに螺着され、
固定歯（５）が第１ハウジング部品（３）に固定され、
前記プラグインコネクタ部品（１）のロックリング（６）および前記プラグインコネクタ部品（１）の付勢ばね（７）が前記第２ハウジング部品（４）に搭載され、
前記ロックリング（６）が、前記第２ハウジング部品（４）に対して、前記第２ハウジング部品（４）の縦方向（９）に平行な方向（８）に変位可能に搭載され、
前記付勢ばね（７）が、前記ロックリング（６）を係合位置に向かう方向（１０）に付勢し、
前記ロックリング（６）が、前記係合位置において前記固定歯（５）に係合し、
前記係合位置にある前記ロックリング（６）により、前記連結状態において前記ねじ式連結が解除されないように防護され、
前記連結状態において、前記ロックリング（６）が前記付勢ばね（７）の付勢に抗して前記固定歯（５）から浮き上がっている連結解除位置にある前記ロックリング（６）により、前記ねじ式連結が解除のために回転可能であり、
前記ロックリング（６）が、前記第２ハウジング部品（４）の前記縦方向（９）に細延在する把持面（１１）と、前記把持面（１１）から前記固定歯（５）に向かう方向（１３）に突出する歯（１４）を有する相手歯（１２）と、を備えていることを特徴とするプラグインコネクタ部品。
【請求項２】
請求項１に記載のプラグインコネクタ部品（１）において、
前記第２ハウジング部品（４）の前記縦方向（９）について、前記ロックリング（６）の前記把持面（１１）が、２ｍｍ以上または３ｍｍ以上の延在範囲（１５）を有し、付加的または代替的に、前記ロックリング（６）が樹脂製部品であることを特徴とするプラグインコネクタ部品。
【請求項３】
請求項１または２に記載のプラグインコネクタ部品（１）において、
前記ロックリング（６）の前記把持面（１１）に少なくとも１つの凹部（１６）が形成されていることを特徴とするプラグインコネクタ部品。
【請求項４】
請求項３に記載のプラグインコネクタ部品（１）において、
前記凹部（１６）が前記ロックリング（６）の周縁溝として形成され、前記プラグインコネクタ部品（１８）の閉鎖キャップ（１８）の連結コード（１７）が当該周縁溝として形成された前記凹部（１６）に配置されていることを特徴とするプラグインコネクタ部品。
【請求項５】
請求項１〜４のうちいずれか１項に記載のプラグインコネクタ部品（１）において、
前記第１ハウジング部品（３）の前記固定歯（５）が、連続して環状に配置され、かつ、一の歯が他の歯に直接的に隣接するような複数の歯（１９）の列として構成されていることを特徴とするプラグインコネクタ部品。
【請求項６】
請求項１〜５のうちいずれか１項に記載のプラグインコネクタ部品（１）において、
前記ロックリング（６）の前記相手歯（１２）の歯（１４）が、連続して環状に配置され、かつ、一の歯が他の歯に直接的に隣接するような歯（１２）の列として構成されていることを特徴とするプラグインコネクタ部品。
【請求項７】
請求項１〜６のうちいずれか１項に記載のプラグインコネクタ部品（１）において、
前記第１ハウジング部品（３）の前記固定歯（５）の歯（１９）と前記ロックリング（６）の前記相手歯（１２）の歯（１４）とが、急歯側面（２０）および緩歯側面（２１）を有し、
前記係合位置にある前記ロックリング（６）により、前記固定歯（５）を構成する歯（１９）の急歯側面（２０）と、前記ロックリング（６）の相手歯（１２）を構成する歯（１４）の急歯側面（２０）との相互作用が、前記ねじ式連結の解除を防止し、
前記係合位置にある前記ロックリング（６）により、前記固定歯（５）を構成する歯（１９）の緩歯側面（２１）と、前記ロックリング（６）の相手歯（１２）を構成する歯（１４）の緩歯側面（２１）とが、一方を他方にスライドさせることにより前記ねじ式連結を締め付けることを特徴とするプラグインコネクタ部品。
【請求項８】
請求項１〜７のうちいずれか１項に記載のプラグインコネクタ部品（１）において、
前記第２ハウジング部品（４）が、少なくとも１つのポジティブロック要素（２３）を備え、
前記ロックリング（６）が、少なくとも１つの相手ポジティブロック要素（２４）を備え、
前記ポジティブロック要素（２３）における前記相手ポジティブロック要素（２４）により、前記ロックリング（６）の周方向の回動に抗して、前記ロックリング（６）が前記第２ハウジング部品（４）に対して固定されていることを特徴とするプラグインコネクタ部品。
【請求項９】
請求項８に記載のプラグインコネクタ部品（１）において、
前記ポジティブロック要素（２３）が、前記第２ハウジング部品（４）に対して回転可能に取り付け可能な取り付け部品であり、付加的または代替的に、前記相手ポジティブロック要素（２４）が前記ロックリング（６）に直接的に形成されていることを特徴とするプラグインコネクタ部品。
【請求項１０】
請求項８または９に記載のプラグインコネクタ部品（１）において、
前記ポジティブロック要素（２３）が、前記ポジティブロック要素（２３）を前記第２ハウジング部品（４）に取り付けるための受容開口部（２５）を有していることを特徴とするプラグインコネクタ部品。
【発明の詳細な説明】
【技術分野】
【０００１】
本発明は、光的および電気的のうち一方または両方のプラグイン接続用のコネクタ部品に関する。前記プラグインコネクタ部品がハウジングを有している。前記ハウジングが第１ハウジング部品と少なくとも１つの第２ハウジング部品を有している。前記第１ハウジング部品および前記第２ハウジング部品は、解除可能なねじ式連結によって連結状態で互いに螺着されている。固定歯が第１ハウジング部品に固定されている。前記プラグインコネクタ部品のロックリングおよび前記プラグインコネクタ部品の付勢ばねが前記第２ハウジング部品に搭載されている。前記ロックリングが、前記第２ハウジング部品に対して、前記第２ハウジング部品の縦方向に平行な方向に変位可能に搭載されている。前記付勢ばねが、前記ロックリングを係合位置に向かう方向に付勢している。前記ロックリングが、前記係合位置において前記固定歯に係合する。前記係合位置にある前記ロックリングにより、前記連結状態において前記ねじ式連結が解除されないように防護されている。前記連結状態において、前記ロックリングが前記付勢ばねの付勢に抗して前記固定歯から浮き上がっている連結解除位置にある前記ロックリングにより、前記ねじ式連結が解除のために回転可能である。
【背景技術】
【０００２】
このタイプのコネクタ部品はそれ自体が知られている。光プラグインコネクタ用のこのようなプラグインコネクタ部品が、例えば商標ＯｐｔｉｃａｌＣｏｎ（「ＯｐｔｉｃａｌＣｏｎ」は登録商標）が付された商品として市販されている。第１ハウジング部品と第２ハウジング部品とのねじ式連結を防止するためのロックリングと固定歯との係合が予期せずに解除される。一般的なプラグインコネクタ部品では、むしろ、２つのハウジング部品のねじ式連結の前に、ロックリングがその連結解除位置に動かされる必要がある。
【先行技術文献】
【特許文献】
【０００３】
【特許文献１】米国特許第５，６７８，９８９号明細書
【発明の概要】
【発明が解決しようとする課題】
【０００４】
しかし、従来技術では、ロックリングの係合位置において固定歯と係合する凹部を有する非常に平坦な金属リングがロックリングとして使用されている。実際には、当技術分野で知られているこれらのロックリングは取り扱いが困難である。ロックリングで指が負傷してしまう。
【０００５】
本発明の目的は、前記難点を排除するのを補助するための改良を提案することである。
【課題を解決するための手段】
【０００６】
この目的のために、本発明は、ロックリングが、第２ハウジング部品の縦方向に縦長に延在する把持面と、把持面から固定歯に向かう方向に突出する相手歯と、を有する前記タイプのコネクタ部品が提案される。
【０００７】
ロックリングの把持面が第２ハウジング部品の縦方向に縦長に延在することにより、付勢ばねの付勢力に抗して係合位置から引っ張られ、続いてねじ式連結を解除して、２つのハウジング部品が相互に分離されるように、ロックリングが従来技術よりも確実に把持される。従来技術と比較して縦長の把持面により、さらには把持面から固定歯に向かう方向に突出している相手歯の構成により、固定歯および相手歯の係合が従来技術と比較してロックリングが把持されている領域からさらに移動されているため、ロックリングを操作するときのけがの危険性が低減される。把持容易な可能な限り広い面積の把持面に関して、本発明の好ましい変形例では、第２ハウジング部品の縦方向についてロックリングの把持面が２ｍｍ以上、好ましくは３ｍｍ以上の延在範囲を有する。当該延在範囲は、特に好ましくは２ｍｍから６ｍｍの範囲である。一般的に、縦長の把持面という用語は、ロックリングがその円周方向に直交する方向にもある程度の範囲を有し、指で容易に把持される把持面が提供されることを意味する。縦長の把持面の概念は、ロックリングが当該方向に最大の延在範囲を有するという意味ではない。
【０００８】
原則として、本発明に係るロックリングはさまざまな材料から形成されていてもよい。金属部品、鋳物部品、特に金属ダイカスト部品などでもよい。しかし、特に好ましくは、ロックリングはプラスチック部品である。好ましくは、ロックリングは一体品として形成されている。プラスチック部品の場合、射出成形によって安価に大量に製造される。特に好ましくは、ロックリングは射出成形部品であり、これはプラスチック製でありうる。
【０００９】
本発明に係るプラグインコネクタ部品は、プラグイン接続を介した電力の伝送と同様に、光信号の伝送および電気信号の伝送の両方に用いられる。本発明によれば、光接点および電気接点の両方を有するハイブリッドコネクタ部品の実現が可能である。対応するプラグインコネクタは通常、２本または１本のケーブルをデバイスに接続するため、互いに嵌合することができる２つのプラグインコネクタ部品を有している。本発明に係るそのようなコネクタまたはそれらのコネクタ部品の光接点および／または電気接点は、それ自体が知られている従来技術にしたがって構成されうるので、さらなる説明を省略する。
【００１０】
本明細書では第１ハウジング部品に固定された歯に対して、固定歯という用語が割り当てられる。それは第１ハウジング部品において一体的に形成されてもよいが、最初に別個の構成要素として作製されたうえで、第１ハウジング部品に取り付けられるかまたは固定されてもよい。固定という用語は、当該固定歯が第１ハウジング部品に対して動くことができないことを意味する。
【００１１】
ロックリングの歯は、用語の明確な区別のために相手歯と呼ばれる。付勢ばねは、一般的に、ロックリングを係合位置に向かう方向に付勢する弾性要素である。付勢ばねは、コイルばね、板ばねパックなど、さらにはエラストマー部材として設計されてもよい。第２ハウジング部品の縦方向は、第２ハウジング部品の縦長の延在方向である。連結状態では、当該縦方向は、通常、本発明に係る第１ハウジング部品または本発明に係るプラグインコネクタ部品のハウジングの全体的な縦方向に対応する。ねじ式連結を解除するという用語は、２つのハウジング部品を相互に分離するためのねじ回し動作を意味する。ねじ式連結を締め付けるという用語は、２つのハウジング部品を連結するための相手方向のねじ回し動作を意味する。
【００１２】
好ましい実施形態では、少なくとも１つの凹部がロックリングの把持面に形成されている。凹部は、繰形（モールディング）またはチャンネルとも呼ばれる。凹部により、ブロックリングがより容易に把持されて動かされるという利点がある。特に好ましい変形例では、凹部がロックリングの周縁溝として形成される。これに関連して、プラグインコネクタ部品の閉塞キャップの締結コードが、周縁溝として形成された凹部に配置されてもよい。そのような実施形態では、凹部は、ロックリングの有形性を改善するのみならず、プラグインコネクタ部品の閉塞キャップを固定するための手段でもある。このように締結された締結コードは、閉塞キャップが無くなることを防止する。コードは、ロープ、ワイヤ、ワイヤロープ、あるいは例えばチェーンなどの細長くて適度の可撓性がある部材であってもよい。
【００１３】
本発明の好ましい変形例において、固定歯が第１ハウジング部品において環状に連続して配列された歯の列として構成され、かつ、相互に直接的に隣接している。換言すると、第１ハウジング部品における固定歯は、一の歯が他の歯に直接的に隣接するまたは他の歯に連続するように設計され、このように配置された複数の歯は共通の環状構造、好ましくは自己完結型の環状構造を構成する。その結果、比較的小さな回転角度でも素早く係合状態に戻ることができる非常に細かいグリッドが構成される。ロックリングの相手歯の歯が環状に連続して配置され、かつ、それぞれが直接的に隣接している歯の列として構成されている。一方では、ねじ式連結を締結する際にロックリングを連結解除位置に保持しないため、他方では、ねじ式連結の予期せぬ解除を防止するため、第１ハウジング部品の固定歯の歯と、ロックリングの相手歯の歯とが、急歯側面および緩歯側面を有し、係合位置にあるロックリングにより、固定歯の歯の急歯側面とロックリングの相手歯の歯の急歯面との相互作用がねじ式連結を解除することを阻止し、係合位置にあるロックリングにより、固定歯の歯の緩歯側面とロックリングの相手歯の緩歯側面とが相互にスライドすることにより、ねじ式連結が締結されることが可能になる。急歯側面は、連結状態において、第２ハウジング部品の縦方向に対して平行であり、あるいは１０°以下または５°以下の小さい鋭角をなしている。緩歯側面は、連結状態において、第２ハウジング部品の縦方向に対して、例えば７０°以上または７５°以上の比較的大きい鋭角を有する。第２ハウジング部品に対するロックリングの回転防止機構を提供するため、第２ハウジング部品が、少なくとも１つのポジティブロック要素を備え、ロックリングが、少なくとも１つの相手ポジティブロック要素を備え、相手ポジティブロック要素がポジティブロック要素に係合することにより、ロックリングの周方向への回転が防止されるように、ロックリングが第２ハウジング部品に固定されている。この場合、ポジティブロック要素が、第２ハウジング部品に直接的に一体化されてもよい。しかしながら、ロックリングおよび付勢ばねを第２ハウジング部品に簡単に組み付ける観点から、ポジティブロック要素が、第２ハウジング部品に対して回転不可能に固定されうる付加的部品であってもよい。これは、ポジティブロック要素が最初に別個の付加的部品として製造されたうえで、組立工程の対応する時点で第２ハウジング部品に対して回転不可能に固定されることを意味する。しかしながら、相手ポジティブロック要素は、好ましくはロックリングに直接的に形成される。相手ポジティブロック要素は、特に、搭載状態で第２ハウジング部品に面するロックリングの内側に形成されてもよい。ポジティブロック要素および相手ポジティブロック要素は、単一のポジティブロック閉塞要素または複数のポジティブロック閉塞要素を介して相互作用してもよい。特に好ましい変形例では、ポジティブロック要素が、第２ハウジング部品にポジティブロック要素を取り付けるために一方側で開口している受容開口部を有している。当該実施形態では、ポジティブロック要素が第２ハウジング部品に取り付けられる際、第２ハウジング部品が���容開口部に挿入されうる。ポジティブロック要素が、ロックリングの相手ポジティブロック要素とのポジティブな係合のための外歯と、第２ハウジング部品に対する拘束的な固定するための内歯と、を有してもよい。第２ハウジング部品は、ポジティブロック要素の内歯と相互作用するための一または複数のポジティブロックリブを提供してもよい。
【００１４】
本発明のさらなる利点および詳細は、添付の図面を参照して以下に説明される。
【図面の簡単な説明】
【００１５】
【図１】本発明に係るプラグインコネクタ部品の外観図。
【図２】図１の領域Ａの拡大図。
【図３】本発明に係るプラグインコネクタ部品の斜視図である。
【図４】本発明に係る図１のプラグコネクタ部品の第１ハウジング部と第２ハウジング部との連結解除状態の説明図。
【図５】本発明に係る図１のコネクタ部品の本質的な構成要素の分解図。
【図６】付勢ばねが省略された、第２ハウジング部品に対するポジティブロック要素の取り付け態様の詳細図。
【発明を実施するための形態】
【００１６】
一実施形態における本発明に係るプラグインコネクタ部品１は、一の光導体ケーブルを他の光導体ケーブルまたはデバイスのハウジングに接続するために使用される光プラグインコネクタの一部である。接続を完成させるための相手コネクタ部品はここでは示されていない。それらは、先行技術におけるように、例えば、前述のコネクタシリーズＯｐｔｉｃａｌＣｏｎにより構成されるので、さらなる説明を省略する。
【００１７】
コネクタ部品１のハウジング２は、ねじ式連結により連結されている第１ハウジング部品３と第２ハウジング部品４とからなる。図１には、２つのハウジング部品３、４が相互にねじ止めされている状態が示されている。図４には連結解除状態が示されている。ここでは、第２ハウジング部品４の雄ねじ２２が確認できる。当該雄ねじ２２と螺合する第１ハウジング部品３の雌ねじは示されていないが、従来技術にしたがって構成されている。第１ハウジング部品３には、固定歯５が固定されている。これは、固定歯５が第１ハウジング部品３に対して動くことができないことを意味する。固定歯５は、第１ハウジング部品３に直接的に形成されていてもよく、付加的部品として作製されたうえで第１ハウジング部品３に固定されてもよい。ロックリング６と付勢ばね７とが第２ハウジング部品４に配置されている。ロックリング６は、第２ハウジング部品４の縦方向９に平行な方向８について当該第２ハウジング部品４に対して変位可能に取り付けられている。付勢ばね７は、ロックリング６を係合位置に向かう方向１０に付勢する。図１に示されている係合位置では、ロックリング６は固定歯５に係合している。これにより、連結状態においてロックリング６が係合位置にあるとき、２つのハウジング部品３および４のねじ式連結の解除が阻止される。ハウジング部品３および４のねじ式連結を解除するために、ロックリング６が付勢ばね７の付勢力に抗して方向１０の相手方向に固定歯５から持ち上げられる必要があり、これに応じてロックリング６が連結解除位置に保持され、ハウジング部品３および４のねじ式連結が解除される。この連結解除状態では、第１ハウジング部品３の固定歯５とロックリング６の相手歯１２とはもはや係合していない。
【００１８】
本発明によれば、ロックリング６は、第２ハウジング部品４の縦方向９に延在する把持面１１を有している。ロックリング６の相手歯１２は、把持面１１から固定歯５に向かう方向１３に突出している。本発明の当該構成による先行技術に対する利点は前述したとおりである。
【００１９】
第２ハウジング部品４の縦方向９についてのロックリング６の把持面１１の長手延在範囲１５は、好ましくは２ｍｍ以上、より好ましくは３ｍｍ以上である。特に好ましくは、ロックリング６がプラスチック部品として、特に射出成形品として形成されている。もちろん、金属等の他の材料により構成されていてもよい。
【００２０】
図２には、図１の領域Ａが拡大して示されている。第１ハウジング部品３における固定歯５が、環状に連続して配置され、相互に直接的に隣接している歯１９の列を有することが確認できる。同様に、ロックリング６の相手歯１２の歯１４は、環状に連続して配置され、かつ、相互に隣接する歯１４の列を構成する。ロックリング６の相手歯１２の歯１４と、第１ハウジング部品３の固定歯５の歯１９との両方は、急歯側面２０および緩歯側面２１を有している。図１および図２に示されている係合位置において、ロックリング６の歯１４と第１ハウジング部品３の歯１９との間の急歯側面２０の相互作用は、ねじ式連結の解除を阻止する。固定歯５の歯１９の緩歯側面２１とロックリング６の相手歯１２の歯１４の緩歯側面２１とは相対的に摺動可能である。これにより、ロックリング６がこの目的のために、付勢ばね７の付勢力に抗して方向１０および１３の相手方向について連結解除位置に引っ張られることなくねじ式連結が締結される。当該歯の構成により、ロックリング６がこの目的のために、付勢ばね７の付勢力に抗して方向１０および１３の相手方向について連結解除位置に引っ張られることなくねじ式連結が締結される一方、図１および図２に示されている係合位置から、ロックリング６の相手歯１２が第１ハウジング部品３の固定歯５に係合していない連結解除位置まで、ロックリング６が方向１０及び１３の相手方向に付勢ばね７の付勢力に抗して動かされる。
【００２１】
ロックリング６の把持面１１には、本実施形態では周縁溝として形成された凹部１６が設けられている。凹部１６によってロックリング６がその把持面１１において特に良好に把持されうる。既に説明したように、閉塞キャップ１８に固定された締結コード１７が、周縁溝として形成された凹部１６に配置されるまたは固定されることによって、周縁溝がプラグインコネクタ部品１の閉塞キャップ１８の紛失防止機構として用いられてもよい。これは図２において確認できる。
【００２２】
図３および図４には、すでに説明した特徴が別の観点から示されている。
【００２３】
図５の分解図では、２つのハウジング部品３および４はねじ式連結から解放されている。ロックリング６および後述するポジティブロック要素２３は、閉塞キャップ１８と同様に第２ハウジング部品４から取り外されている。さらに、２つのハウジング部品３および４が相互にねじ式連結されたとき、すなわち接続状態において、それ自体は公知であるシールリング２６が、雄ねじ２２と対応する雌ねじ（図示略）とのねじ式連結または螺合を密封する。
【００２４】
ポジティブロック要素２３は、ここでは、第２ハウジング部品４に対して回転不可能に固定された付加的部品として構成されている。それは、第２ハウジング部品４に対してロックリング６がその縦方向９のまわりに回転しないように、ロックリング６の回転防止機構として機能する。この目的のため、ロックリング６が、本実施形態では内側に、すなわち第２ハウジング部品４に向かう方向に位置している相手ポジティブロック要素２４を有している。本実施形態では、これは、図６に示されている複数の相手ポジティブロック要素２４により構成され、ロックリング６において一体的に形成された一連の歯の列として構成されている。ポジティブロック要素２３は、一方側で開口している受容開口部２５を有し、第２ハウジング部品４の縦方向９に対して垂直な図５に示されている方向２７に第２ハウジング部品４が受容開口部２５に差し込まれる。ポジティブロック要素２３は、一連の外歯２８を有し、これは、ロックリング６の相手ポジティブロック要素２４におけるポジティブな係合のために機能する。これとは相手に、ポジティブロック要素２３の内歯２９は、受容開口部２５の形状およびこれに対応する第２ハウジング部品４におけるその形状と共に、第２ハウジング部品４に対してポジティブロック要素２３を回転不可能に固定するために機能する。この目的のため、第２ハウジング部品４がポジティブロック要素２３の受容開口部２５において静止するように、ポジティブロック要素２３が、まず、図５に示されている位置から第２ハウジング部品４までスライドする。続いて、ポジティブロックリブ３０がポジティブロック要素２３の内歯２９において静止するように、ポジティブロック部材２３が、図６に示されている方向１０に第２ハウジング部品４のポジティブロックリブ３０までスライドする。その結果、第２ハウジング部品４にポジティブロック要素２３が回転可能に固定される。これにより、ロックリング６の相手ポジティブロック要素２４に対するポジティブロック要素２３の係合により、ロックリング６が第２ハウジング部品４に対して回転可能に固定される。回転可能な固定にもかかわらず、ロックリング６が第２ハウジング部品４に対して方向１０および１３およびこれらの相手方向に変位可能に搭載されている。既に説明したように、２つのハウジング部品３および４がねじ式連結により連結状態にある場合、付勢ばね７だけが第１ハウジング部品３の固定歯５に向かう方向１０および１３にロックリング６を付勢する。
【００２５】
図６には、付勢ばね７は示されていないので、第２ハウジング部品４のポジティブロック要素２３が確認しやすい。
【符号の説明】
【００２６】
１‥プラグインコネクタ部品、２‥ハウジング、３‥第１ハウジング部品、４‥第２ハウジング部品、５‥固定歯、６‥ロックリング、７‥付勢ばね、８‥方向、９‥縦方向、１０‥方向、１１‥把持面、１２‥相手歯、１３‥方向、１４‥歯、１５‥延在範囲、１６‥凹部、１７‥締結コード、１８‥キャップ、１９‥歯、２０‥急歯側面、２１‥平歯フランク、２２‥雄ねじ、２３‥ポジティブロック要素、２４‥相手ポジティブロック要素、２５‥受容開口部、２６‥シールリング、２７‥スライド方向、２８‥外歯、２９‥内歯、３０‥ポジティブロックリブ。
【図１】
2019197725.tif 000003
【図２】
2019197725.tif 000004
【図３】
2019197725.tif 000005
【図４】
2019197725.tif 000006
【図５】
2019197725.tif 000007
【図６】
2019197725.tif 000008